(57)【要約】【課題】  抗菌、防カビ、防臭、花粉、防塵等の多機能にわたって対応可能なマスクを提供することを課題とする。【解決手段】織布、又は不織布表面にPVD法により付着力の強い銀合金ナノ複合膜をコートすることにより多機能高性能フィルターを開発し、そのフィルターをマスクに装着するか、それ自体でマスクを作製する。好ましくは、隙間が20μm以下の超高密度織布、又は不織布表面を用い、さらには、織布、又は不織布表面で構成された超高密度メッシュクロスに低温プロセスPVD法により、１〜1000nmの銀合金薄膜を形成すると良い。【選択図】図１
0003151082.tif 000002
【実用新案登録請求の範囲】
【請求項１】
織布、又は不織布表面に銀合金で被覆したクロスを用いたことを特徴とする多機能マスク。
【請求項２】
隙間が20μm以下の超高密度織布、又は不織布表面を用いた請求項１記載の多機能マスク。
【請求項３】
織布、又は不織布表面で構成された超高密度メッシュクロスに低温プロセスPVD法により、１〜1000nmの銀合金薄膜を形成した請求項１または２に記載の多機能マスク。
【請求項４】
銀合金の組成は銀及び白金、セリウム、パラジウムのいずれか一元素を0.1〜20at%及び金属酸化物（亜鉛酸化物、チタン酸化物）のいずれか０〜10at%で構成されている請求項〜３のいずれかに記載の多機能マスク。
【考案の詳細な説明】
【技術分野】
【０００１】
本考案は、多機能（抗菌、防カビ、防臭、防塵）付マスクに関するものである。
【背景技術】
【０００２】
室内、室外にある細菌、ウィルス、臭気、花粉が存在する環境において、これらを除去するのに、活性炭、植物性のエッセンスを含むフィルター、ケミカル反応物除去等のものが考案されているが、効果を発揮するためには、長時間必要とし、効率的でない。
【０００３】
最近、地球環境悪化で、砂漠化が進み、外気の雰囲気の悪化が進み、ウィルス、細菌、黄砂、悪臭等が問題となっている。そのような問題を解決するために防菌、防カビ、防塵、防臭等の除去に対応できる多機能なマスクが必要とされている。
【特許文献１】特願2008−037070号
【考案の開示】
【考案が解決しようとする課題】
【０００４】
本考案は、このような周囲環境からくるウィルス  細菌、花粉、黄砂、悪臭等を呼吸作用により除去して呼吸者がウィルス  細菌、黄砂、悪臭等を吸い込まないようにするフィルター付のマスクを提供することを課題としてなされたものである。
【課題を解決するための手段】
【０００５】
本考案はウィルス、細菌、花粉、黄砂、悪臭等を呼吸作用により除去して呼吸者がウィルス、細菌、花粉、黄砂、悪臭等を吸い込まないようにするフィルター付をマスクに装着する。
布状の被膜体と該被膜体を口と鼻に覆うようにマスク内部に入れる。また通気性を有する織布、又は不織布表面に銀合金のPVD法で被覆する。その布の隙間は20μｍ以下が最適で、通気性がもっともよいフィルター付をそのまま使用することにより呼吸者をウイ
ウス細菌、花粉、黄砂、悪臭等を防御するマスクを開発することである。
【０００６】
銀合金は人に対して、極めて安全な金属である。その為銀は80-99％含まれており硫化物やハロゲン化物の存在により失活するため、微量の金属（白金、セリウム、パラジウム等のいずれか１つを0.1〜20at％）とのほか金属酸化物（亜鉛酸化物、チタン酸化物等0〜10at％）を含有することにより銀の欠点を保持し抗アレルギ-、抗菌、抗インフルエンザ、抗花粉症対応のフィルター付マスク或いはフィルターである。
【０００７】
本考案者らは、請求項2記載の抗アレルギ-、抗菌、抗インフルエンザ、抗花粉症対応のマスクは水洗い、洗濯等で効能が落ちることはない。又光が無くても抗アレルギ-、抗菌、抗インフルエンザ、抗花粉症対応可能なマスクフィルターは隙間20μm以下の超高密度メッシュクロスの表面に低温スパッタ法により付着力の強い銀合金ナノ複合膜をコートしたものである（特許文献１参照）。
【考案の効果】
【０００８】
本考案によれば、銀合金は人に対して、極めて安全な金属であるが、硫化物やハロゲン化物に失活するため、微量の金属（白金、セリウム、パラジウム等）とのほか金属酸化物（亜鉛酸化物、チタン酸化物等）を含有することにより銀の欠点を保持し抗アレルギ-、抗菌、抗インフルエンザ、抗花粉症対応のマスクフィルターである。また請求項2記載の抗アレルギ-、抗菌、抗インフルエンザ、抗花粉症対応のマスクは水洗い、洗濯等で効能が落ちることはない。又光触媒と比較して、本考案による銀合金膜は光が無くても抗アレルギー、抗菌、抗インフルエンザ、抗花粉症対応可能なマスクフィルターである。更に銀合金をスパッタ法により繊維やフィルターに直接コ−テングするため、成分が１００％で、従来の銀イオンを塗布したものと比べ、銀の効果を100％発揮する。抗アレルギ-、抗菌、抗インフルエンザ、抗花粉症対応のマスクは水洗い、洗濯等で効能が落ちることはない。又光が無くても抗アレルギ-、抗菌、抗インフルエンザ、抗花粉症対応可能なマスク或いはフィルター付マスクである。実現困難であった多機能マスクが実現可能となった。
【考案を実施するための最良の形態】
【０００９】
以下に考案の実施の形態で本考案を更に説明する。
【００１０】
本考案に係わる通気性を有する織布、又は不織布表面布状に銀合金のPVD法で被覆し、そのシ−トを口マスクの内部に装着することを特徴とする抗アレルギー、抗菌、抗インフルエンザ、抗花粉症対応するフィルター付マスクの本考案の布状に銀合金のスパッタ法で被覆したマスクは、従来のフィルター付マスク装着するか銀合金のスパッタ法で被覆した素材をマスクにするなどのような通気性材料からなるマスク本体から出来ており、その中に本考案に係わる通気性を有する織布、又は不織布表面状に銀合金のPVD法で被覆し、そのシ−トを口マスクの内部に装着する。
銀合金のPVD法で被覆したフィルターはマスク本体の全面積を占める必要は無く、その1部、特に鼻及び口で呼吸するときに空気が通過するマスクの領域を実質的にカバーする大きさであれば足りるが、多少大きい方が呼吸作用以外で侵入してくるウイルス、細菌、黄砂、悪臭等の防除にも役立つ。
【００１１】
銀合金のスパッタ法で被覆したフィルターは、空気透過性のあるプラスチック、紙、不織布、ガーゼ、布、綿、天然繊維集塊、天然又は人口皮革等等からなる透過性袋体の中に前記のような銀合金は人に対して、極めて安全な金属である。
硫化物やハロゲン化物は失活あるガスであるため、微量の金属（白金、セリウム、パラジウム等）とのほか金属酸化物（亜鉛酸化物、チタン酸化物等）を含有することフィルター被覆体をマスクに入れて形成されたもので、目の細かい銀合金のPVD法で被覆したフィルターを入れる。微量の金属（白金、セリウム、パラジウム等）とのほか金属酸化物（亜鉛酸化物、チタン酸化物等）を添加することにより、硫化物やハロゲン化物に対して、失活しない。
【００１２】
本考案の周囲環境からくるウイルス、細菌、黄砂、悪臭等を呼吸作用により除去して呼吸者がウイルス、細菌、黄砂、悪臭等を吸い込まないようにするマスクである。水洗いを行った本マスクはウィルス細菌、黄砂、悪臭等を呼吸作用により除去性能にウイルス、細菌、黄砂、悪臭等の性能劣化が生じない。
【００１３】
以上説明のように本考案によれば、銀合金は人に対して、極めて安全な金属であるが、硫化物やハロゲン化物に失活するため、微量の金属（白金、セリウム、パラジウム等）とのほか金属酸化物（亜鉛酸化物、チタン酸化物等）を含有することにより銀の欠点を保持し抗アレルギ-、抗菌、抗インフルエンザ、抗花粉症対応のマスクフィルターである。また請求項2記載の抗アレルギ-、抗菌、抗インフルエンザ、抗花粉症対応のマスクは水洗い、洗濯等で効能が落ちることはない。又光触媒と比較して、本考案による銀合金膜は光が無くても抗アレルギ-、抗菌、抗インフルエンザ、抗花粉症対応可能なマスクフィルターである。更に銀合金をスパッタ法により繊維やフィルターに直接コ−テングするため、成分が１００％で、従来の銀イオンを塗布したものと比べ、銀の効果を100％発揮する。
抗アレルギ-、抗菌、抗インフルエンザ、抗花粉症対応のマスクは水洗い、洗濯等で効能が落ちることはない。又光が無くても抗アレルギ-、抗菌、抗インフルエンザ、抗花粉症対応可能なマスク或いはフィルター付マスクである。
【産業上の利用可能性】
【００１４】
本考案は、実現困難であった多機能マスクが実現可能となるものである。
【図面の簡単な説明】
【００１５】
【図１】実施例は考案した素材(3)を本体マスク(1)に貼り付けた図面です。
【図２】実施例は本体マスク(1)のポケット(3)に考案した素材(3)を挿入した図面です。
【符号の説明】
【００１６】
１    本体マスク
２    本体マスクのポケット
３    本考案した素材
４    紐
【図１】
0003151082.tif 000003
【図２】
0003151082.tif 000004
【手続補正書】
【提出日】平成21年1月15日(2009.1.15)
【手続補正１】
【補正対象書類名】実用新案登録請求の範囲
【補正対象項目名】請求項４
【補正方法】変更
【補正の内容】
【請求項４】
銀合金の組成は銀及び白金、セリウム、パラジウムのいずれか一元素を0.1〜20at%及び金属酸化物（亜鉛酸化物、チタン酸化物）のいずれか０〜10at%で構成されている請求項１〜３のいずれかに記載の多機能マスク。
【手続補正書】
【提出日】平成21年3月31日(2009.3.31)
【手続補正１】
【補正対象書類名】実用新案登録請求の範囲
【補正対象項目名】請求項４
【補正方法】変更
【補正の内容】
【請求項４】
銀合金の組成は銀及び白金、セリウム、パラジウムのいずれか一元素を0.1〜20at％及び亜鉛酸化物又はチタン酸化物のいずれか０〜10at％で構成されている請求項１〜３のいずれかに記載の多機能マスク。